(57)【特許請求の範囲】
【請求項１】
水受けトレイ内に底面を配置して給水する給水タンクと、
前記水受けトレイ内の残水を所定のタイミングで貯水する排水タンクを備え、
前記給水タンクの天面は、
外周部と中央部を前記外周部より低く形成した凹部とを有し、
前記排水タンクは、流出入口を前記外周部より低くなるように前記凹部に位置させ、この凹部から前記給水タンクの内部に向けて膨出可能に張り出して備え、
前記外周部は、前記凹部から前記給水タンク一側面側までの溝を形成したことを特徴とする機器。
【請求項２】
前記排水タンクの膨出可能容量は前記水受けトレイの容量より小さいことを特徴とする請求項１記載の機器。
【請求項３】
前記排水タンクは大気圧と前記給水タンク内の負圧により膨出可能であることを特徴とする請求項１記載の機器。
【請求項４】
前記給水タンクには前記凹部に開口部を設け、前記排水タンクが前記開口部より取り外し可能であることを特徴とする請求項１記載の機器。
【請求項５】
前記排水タンクは円形の底面と蛇腹構造の側面とを有した円筒容器であることを特徴とする請求項２から４のいずれか一つに記載の機器。
【請求項６】
前記給水タンクには前記開口部を囲む筒状の突壁を設け、
前記排水タンクには前記流出入口の端にフランジ部を設け、
前記排水タンクは、前記フランジ部を前記筒状の突壁に乗せ、
開口を有する蓋により、
前記フランジ部で前記突壁に固定されることを特徴とする請求項５記載の機器。
【請求項７】
前記給水タンクには、前記開口部より内径を大きくして筒状の突壁を設け、
前記排水タンクには、外径が流出入口に前記開口部の径より大きく前記突壁の内径より小さいフランジ部を設け、
前記排水タンクは、前記フランジ部を前記排水タンクを挿入する開口部と前記筒状の突壁との間に乗せ、開口を有する蓋により、前記フランジ部で前記凹部に固定されることを特徴とする請求項５記載の機器。
【発明の詳細な説明】
【技術分野】
【０００１】
本発明は、加湿機などの給水先に給水する給水タンクを有する機器に関する。
【背景技術】
【０００２】
従来より加湿機などの給水先に給水タンクから給水し、所定のタイミングで給水先より残水を排水タンクへ回収することによって、給水先においてカルシウム分などのスケールの析出や塵などの汚れの堆積を軽減する機器は知られている。
【０００３】
このようなものでは、給水タンクと排水タンクを一体化させたものが提案されている（例えば特許文献１参照）。
【先行技術文献】
【特許文献】
【０００４】
【特許文献１】特開２０１０−２１４５号公報
【発明の概要】
【発明が解決しようとする課題】
【０００５】
特許文献１の構成によれば、給水タンクへの給水口と排水タンクへの貯留した水の排水口との位置関係のために、給水作業と排水作業を同時に行うことが困難であるという課題があった。
【０００６】
そこで本発明は、給排水作業を同時に安定して行うことができる給水タンクを備えた機器を提供することを目的とする。
【課題を解決するための手段】
【０００７】
本発明の給水タンクを備える機器は、水受けトレイ内に底面を配置して給水する給水タンクと、前記水受けトレイ内の残水を所定のタイミングで貯水する排水タンクを備え、前記給水タンクの天面は、外周部と中央部を前記外周部より低く形成した凹部とを有し、前記排水タンクは、流出入口を前記凹部に位置させ、この凹部から前記給水タンクの内部に向けて膨出可能に張り出して備え、前記外周部は、前記凹部から前記給水タンク一側面側までの溝を形成したことを特徴とし、これにより所期の目的を達成するものである。
【発明の効果】
【０００８】
本発明によれば、給水作業と排水作業を同時に安定して行うことができる給水タンクを備えた機器を提供することが出来る。
【図面の簡単な説明】
【０００９】
【図１】本発明の実施の形態１の給水タンクを備えた機器の概略図
【図２】本発明の実施の形態１の給水タンクの概略斜視図
【図３】（ａ）残水が排水タンクに回収されている概略図、（ｂ）残水が排水され、きれいな水が給水されている概略図
【図４】本発明の実施の形態２の給水タンクを備えた機器の給水タンクと排水タンクの概略断面図
【図５】本発明の実施の形態３の給水タンクを備えた機器の給水タンクと排水タンクの概略断面図
【発明を実施するための形態】
【００１０】
本発明の請求項１記載の給水タンクを備えた機器は、水受けトレイ内に底面を配置して給水する給水タンクと、前記水受けトレイ内の残水を所定のタイミングで貯水する排水タンクを備え、前記給水タンクの天面は、外周部と中央部を前記外周部より低く形成した凹部とを有し、前記排水タンクは、流出入口を前記外周部より低くなるように前記凹部に位置させ、この凹部から前記給水タンクの内部に向けて膨出可能に張り出して備え、前記外周部は、前記凹部から前記給水タンク一側面側までの溝を形成したものである。
【００１１】
これにより、給水、排水作業の際に、給水タンクの天面をシンクなどに置くことで、給水は給水口から、排水は給水タンクの凹部から給水タンク一側面側までの溝に沿って行われる。この際、排水タンクの流出入口は凹部に位置しているのでシンクによって塞がれることがない。また汚水は自重で排水されるが、同時に行われる給水による水圧によって加速することができる。よって、給排水を同時に、安定して行うことができ、簡便であるという効果を有する。また、膨出可能な排水タンクを給水タンク内に設けることで機器内で給水タンクと排水タンクが占有する体積を大きくせずに給排水が可能であるという効果を奏する。
【００１２】
また、請求項２記載の給水タンクを備えた機器は、排水タンクの膨出可能容量は水受けトレイの容量より小さくしたものである。
【００１３】
これにより、給水時に水受けトレイ容量以上に給水することを防ぎ、必要以上に給水しないため、長時間給水を持続でき、給排水の回数を減らすことが出来るという効果を奏する。
【００１４】
また、請求項３記載の給水タンクを備えた機器は、排水タンクは大気圧と給水タンク内の負圧により膨出可能としたものである。
【００１５】
これにより、排水タンクの膨出のために動力や機構を設ける必要がなく、省エネルギー、省スペースという効果を奏する。
【００１６】
また、請求項４記載の給水タンクを備えた機器は、給水タンクには凹部に開口部を設け、排水タンクが開口部より取り外し可能としたものである。
【００１７】
これにより、排水タンクのメンテナンスがしやすくなり、清潔に保つことができるという効果を奏する。
【００１８】
また、請求項５記載の給水タンクを備えた機器は、排水タンクは円形の底面と蛇腹構造の側面とを有した円筒容器でとしたものである。
【００１９】
これにより、膨出を繰り返しても形状を保ち、また、排水による水圧が側面に均等にかかるため破損しにくいという効果を奏する。
【００２０】
また、請求項６記載の給水タンクを備えた機器は、給水タンクには開口部を囲む筒状の突壁を設け、排水タンクには流出入口の端にフランジ部を設け、排水タンクは、フランジ部を筒状の突壁に乗せ、開口を有する蓋により、フランジ部で突壁に固定されたものである。
【００２１】
これにより、給水タンクと排水タンクの接続、取り外しが簡便になるという効果を奏する。
【００２２】
また、請求項７記載の給水タンクを備えた機器は、給水タンクには、開口部より内径を大きくして筒状の突壁を設け、排水タンクには、外径が流出入口に開口部の径より大きく突壁の内径より小さいフランジ部を設け、排水タンクは、フランジ部を排水タンクを挿入する開口部と筒状の突壁との間に乗せ、開口を有する蓋により、フランジ部で凹部に固定されたものである。
【００２３】
これにより、流出入口や開口を有する蓋が、給水タンク天面において凹部を低くすることができるので、排水時にシンク等に置かれた際に、シンクなどと蓋の開口部との間に空間を広くとることが出来るので、排水量が多くなりスムーズに排水されるという効果を奏する。
【００２４】
以下、本発明の実施の形態について図面を参照しながら説明する。
【００２５】
（実施の形態１）
図１に加湿機を例とした実施の形態１の給水タンクを備えた機器の概略断面図を示す。図２に実施の形態１の給水タンクの概略斜視図を示す。
【００２６】
加湿機を例とした給水タンク２を備える機器の構成要素を下記に示す。
【００２７】
加湿機を例とした本発明の給水タンク２を備える機器は、水受けトレイ１内に底面を配置して給水する給水タンク２と、水受けトレイ１内の残水３を所定のタイミングで貯水する排水タンク４と、所定のタイミングを測るフロート５とセンサ６と、残水３を回収する回収手段７と、気化フィルター８を備えている。
【００２８】
図２に示すように給水タンク２の天面には、外周部と中央部を外周部より低く形成した凹部１４を有している。
【００２９】
また給水タンク２の底面には給水口１１が設けられ、給水口１１の蓋にはバネによって上下可変できる突き出し部１２が設けられている。
【００３０】
排水タンク４は、残水３を貯水するための流出入口１３を持ち、膨出可能な形状であり、その流出入口１３を外周部より低くなるように給水タンク２の凹部１４に位置し、膨出可能部分を給水タンク２の内部に向けて備えられている。凹部１４は流出入口１３を外周部よりも突出しないようにするものである。
【００３１】
給水タンク２の外周部には、凹部１４から給水タンク２一側面側まで溝１５が形成されている。
【００３２】
上記構成において、給水口１１から水道水などのきれいな水が供給された給水タンク２は、底面が下となるように水受けトレイ１にセットされると、突き出し部１２が開き、水受けトレイ１にきれいな水が水受けトレイ１へ供給される。
【００３３】
一度給水されると給水タンク２内上方に空気の層ができ、この空気の層の圧力が大気圧と給水タンク２内水の高さがつりあう負圧となる。水受けトレイ１の水位が下がると、再び大気圧と給水タンク２内水の高さがつりあうように給水される。
【００３４】
そして、気化フィルター８から加湿された分だけ、給水タンク２から給水される。
【００３５】
給水タンク２が水受けトレイ１にセットされた直後は、排水タンク４は収縮しているが、給水と共に排水タンク４の内側に加わる大気圧と給水タンク２内の負圧によって膨出する。
【００３６】
気化フィルター８による加湿が進み、給水タンク２が空になったのち、水受けトレイ１内の水位が下がるとフロート５が下がり、センサ６位置を下回った際に残水３の回収手段７が運転される。
【００３７】
この際には排水タンク４は膨出が完了しており、排水タンク４内に残水を回収することができる。
【００３８】
図３（ａ）は残水３が排水タンク４に回収されている概略図である。図３（ｂ）は残水３が排水され、きれいな水が給水されている概略図である。
【００３９】
図３（ａ）に示すように、排水タンク４が給水タンク２内に膨出しており、残水３が回収された後に、給水タンク２ごと水受けトレイ１から取り外し、シンク１６などで給排水を行う。
【００４０】
図３（ｂ）に示すように、給排水時は、給水タンク２天面をシンク１６などに置き、給水口から水道などからきれいな水を供給する。
【００４１】
この時、流出入口１３を外周部９よりも突出しないようにしているため、シンク１６などに塞がれることなく、空間が生ずる。また給水タンク２外周部に溝１５が形成されていることから、排水タンク４から前記空間に移動した残水３は、溝１５に沿って移動することが可能であり排水することが出来る。
【００４２】
以上のように、本実施の形態では、水受けトレイ１内に底面を配置して給水する給水タンク２と、前記水受けトレイ１内の残水３を所定のタイミングで貯水する排水タンク４を備え、前記給水タンク２の天面は、外周部と中央部を前記外周部より低く形成した凹部１４とを有し、前記排水タンク４は、流出入口１３を前記凹部１４に位置させ、この凹部１４から前記給水タンク２の内部に向けて膨出可能に張り出して備え、前記外周部は、前記凹部１４から前記給水タンク２一側面側までの溝１５を形成したことを特徴とするものである。
【００４３】
これにより、給水、排水作業の際に、給水タンク２の天面をシンク１６などに置くことで、給水は給水口１１から、排水は給水タンク２の凹部１４から給水タンク２一側面側までの溝１５に沿って行われる。この際、排水タンク４の流出入口１３は流出入口１３を外周部９よりも突出しないようにしているのでシンク１６によって塞がれることがない。また残水は自重で排水されるが、同時に行われる給水による水圧によって加速することができる。
【００４４】
よって、給排水を同時に、安定して行うことができ、簡便であるという効果を有する。
【００４５】
また、膨出可能な排水タンク４を給水タンク２内に設けることは、機器内で給水タンク２と排水タンク４が占有する体積を大きくせずに給排水が可能であるという効果を奏する。
【００４６】
また、本実施の形態では、排水タンク４の容量について限定しなかったが、排水タンク４の膨出可能容量は水受けトレイ１の容量より小さくしたものである。これにより、給水時に水受けトレイ１の容量以上に給水することを防ぎ、必要以上に給水しないため長時間給水を持続でき、給排水の回数を減らすことが出来る。
【００４７】
また、給水タンク２には凹部１４に開口部１７を設け、排水タンク４が開口部より取り外し可能としてもよい。これにより、排水タンク４のメンテナンスがしやすくなり、清潔に保つことができるという効果を奏する。
【００４８】
また、排水タンク４は、膨出可能な形状として円形の底面と蛇腹構造の側面とを有した円筒容器でとしてもよい。これにより、膨出を繰り返しても形状を保ち、また、排水による水圧が側面に均等にかかるため破損しにくいという効果を奏する。
【００４９】
（実施の形態２）
実施の形態２では、排水タンク４が給水タンク２から取り外し可能の構造を具体的説明する。
【００５０】
図４に実施の形態２の給水タンク２を備えた機器の給水タンク２と排水タンク４の概略断面図を示す。図１から３同様の構成要素については同一の符号を付し、その詳細な説明は省略する。
【００５１】
給水タンク２には凹部１４に排水タンク４を取り外し可能とした開口部１７を備えている。開口部１７を囲む筒状の突壁１８を設け、排水タンク４には流出入口１３の端にフランジ部１９を設け、排水タンク４は、フランジ部１９を筒状の突壁１８に乗せ、流出入口１３に相当する開口を有する蓋２０により、フランジ部１９で突壁１８に固定されることとしている。
【００５２】
上記構成では、給水タンク２と排水タンク４の接続、取り外しが簡便になるという効果を奏する。
【００５３】
（実施の形態３）
実施の形態３では、排水タンク４が開口部１７より取り外し可能の構造の別の実施の形態を具体的説明する。
【００５４】
図５に実施の形態３の給水タンク２を備えた機器の給水タンク２と排水タンク４の概略断面図を示す。図１から４同様の構成要素については同一の符号を付し、その詳細な説明は省略する。
【００５５】
実施の形態３では、給水タンク２には、開口部１７の内径（ｄ１）より内径（ｄ２）を大きくした筒状の突壁１８を設け、排水タンク４には、外径が流出入口１３に開口部の径より大きく突壁１８の内径より小さいフランジ部１９を設け、排水タンク４は、フランジ部１９を排水タンク４を挿入する開口部１７と筒状の突壁１８との間に乗せ、流出入口１３に相当する開口を有する蓋２０により、フランジ部１９で凹部１４に固定されることとしている。
【００５６】
上記構成では、流出入口１３や開口を有する蓋２０が、給水タンク２天面において凹部１４を低くすることができるので、排水時にシンク１６等に置かれた際に、シンク１６などと蓋２０の開口部１７との間に空間を広くとることが出来るので、排水量が多くなりスムーズに排水されるという効果を奏する。
【産業上の利用可能性】
【００５７】
本発明は、給水を必要とする加湿機、加湿機能付空気清浄機、加湿機能付空気清浄装置、スチームレンジなど給水タンクと水受けトレイを備えた機器に適用してもよい。
【符号の説明】
【００５８】
１  水受けトレイ
２  給水タンク
３  残水
４  排水タンク
５  フロート
６  センサ
７  回収手段
８  気化フィルター
９  外周部
１１  給水口
１２  突き出し部
１３  流出入口
１４  凹部
１５  溝
１６  シンク
１７  開口部
１８  突壁
１９  フランジ部
２０  蓋
【図１】
0006303131.tif 000002
【図２】
0006303131.tif 000003
【図３】
0006303131.tif 000004
【図４】
0006303131.tif 000005
【図５】
0006303131.tif 000006